(57)【要約】【課題】情報の切り替えが遅延しているという印象を抑制する。【解決手段】本発明のデジタルテレビ（１）は、項目切替指示にしたがって、切替後注目項目を決定する切替項目決定部（３５）と、項目を連続的に変化させて切り替える表示情報切替制御部（３４）と、項目に対応する情報を切り替える映像切替制御部（３３）とを備え、表示情報切替制御部は、映像切替制御部が情報を切り替えた時点または該時点よりも後に、上記切替後注目項目への切り替えを完了する。【選択図】図１
2014203401.tif 000002
【特許請求の範囲】
【請求項１】
所定の順序で並べられた複数の項目のうち、フォーカスされている注目項目を少なくとも１つ表示する第１表示領域と、上記注目項目に対応付けられている情報を表示する第２表示領域とを含む表示部を備えている情報表示装置であって、
入力部を介して入力された注目項目を切り替えることを指示する項目切替指示にしたがって、現在の注目項目である切替前注目項目の次に注目項目となる切替後注目項目を決定する項目決定手段と、
上記項目切替指示にしたがって、上記第１表示領域に表示される注目項目を、切替前注目項目から切替後注目項目へと視覚的状態を連続的に変化させて切り替える第１切替制御手段と、
上記第２表示領域に表示されている切替前注目項目に対応する情報を、切替後注目項目に対応する情報へと切り替える第２切替制御手段とを備え、
上記第１切替制御手段は、上記第２切替制御手段による情報の切り替えに応じて、上記切替後注目項目への切り替えを完了することを特徴とする情報表示装置。
【請求項２】
上記第１切替制御手段は、上記項目切替指示が入力された場合に、視覚的状態の連続的変化を開始し、上記第２切替制御手段が上記切替後注目項目に対応する情報に切り替えた時に、上記連続的変化を終了して上記切替後注目項目への切り替えを完了することを特徴とする請求項１に記載の情報表示装置。
【請求項３】
上記項目切替指示は、切り替えの方向と量とを指示するものであり、
上記第１切替制御手段は、指定された方向および量にしたがって、注目項目を含む所定の順序で並べられた複数の項目、または、注目項目を指すカーソルを移動させることにより、フォーカスされている注目項目を連続的に切り替えることを特徴とする請求項１または２に記載の情報表示装置。
【請求項４】
第１チューナ部を制御して、上記切替前注目項目に対応付けられている放送波を選局して、該切替前注目項目に対応する映像を受信する第１情報取得手段と、
第２チューナ部を制御して、上記切替後注目項目に対応付けられている放送波を選局して、該切替後注目項目に対応する映像を受信する第２情報取得手段とを含み、
上記第２情報取得手段は、上記切替後注目項目が決定されたときに選局を開始し、
上記第１切替制御手段は、上記第２情報取得手段が上記切替後注目項目の映像を受信した後、注目項目の切り替えを完了することを特徴とする請求項３に記載の情報表示装置。
【請求項５】
上記第１表示領域において切替前注目項目から切替後注目項目へと切り替わる間に上記第１切替制御手段によって実行されている連続的変化の途中の視覚的状態を特定する変化状態特定手段を備え、
上記第２情報取得手段は、上記切替後注目項目が決定されるまでの間、
上記変化状態特定手段によって切替前注目項目から次の項目への状態変化の開始が特定された後、当該次の項目への切り替えが完了するまでの間に、該次の項目に対応する放送波の選局を開始することを特徴とする請求項４に記載の情報表示装置。
【請求項６】
上記項目切替指示は、さらに切り替えの速度を指示するものであり、
上記第１切替制御手段は、指定された速度に応じて、項目またはカーソルを移動させるものであり、
上記第２情報取得手段は、上記項目切替指示の入力が終了した時点の上記速度が速いほど、上記次の項目に対応する放送波の選局を早く開始することを特徴とする請求項５に記載の情報表示装置。
【請求項７】
上記項目切替指示は、さらに切り替えの速度を指示するものであり、
上記第１切替制御手段は、指定された速度に応じて、項目またはカーソルを移動させるものであり、
上記項目決定手段は、上記項目切替指示の入力が終了した時点の上記速度が速いほど、切替前注目項目から遠くに並ぶ項目を切替後注目項目として決定することを特徴とする請求項４から６までのいずれか１項に記載の情報表示装置。
【請求項８】
所定の順序で並べられた複数の項目のうち、フォーカスされている注目項目を少なくとも１つ表示する第１表示領域と、上記注目項目に対応付けられている情報を表示する第２表示領域とを含む表示部を備えている情報表示装置の制御方法であって、
上記情報表示装置の入力部を介して入力された注目項目を切り替えることを指示する項目切替指示にしたがって、現在の注目項目である切替前注目項目の次に注目項目となる切替後注目項目を決定する項目決定ステップと、
上記項目切替指示にしたがって、上記第１表示領域に表示される注目項目を、切替前注目項目から切替後注目項目へと視覚的状態を連続的に変化させて切り替える第１切替ステップと、
上記第１切替ステップが実行される一方で、上記第２表示領域に表示されている切替前注目項目に対応する情報を、切替後注目項目に対応する情報へと切り替える第２切替ステップとを含み、
上記第１切替ステップは、上記第２切替ステップにおける情報の切り替えに応じて、上記切替後注目項目への切り替えを完了することを特徴とする情報表示装置の制御方法。
【発明の詳細な説明】
【技術分野】
【０００１】
本発明は、複数の情報を切り替えて表示する情報表示装置、情報表示装置の制御方法、制御プログラムおよび記録媒体に関するものである。
【背景技術】
【０００２】
従来、複数の情報を切り替えて表示する情報表示装置の一つに、例えば、デジタル放送受信装置がある。デジタル放送受信装置は、ユーザがチャンネルを切り替える操作を行うと、指定されたチャンネルの映像に切り替える。
【０００３】
例えば、特許文献１のデジタル放送受信装置は、少なくとも２つの選局部を備え、ユーザがチャンネルを切り替えた際、視聴中の番組を表示部に表示したまま、ＯＳＤ処理部で、切り替え後のチャンネルの番組情報を合成して表示する。それとともに、現在表示部に表示されているチャンネルの受信に用いられていない選局部で切り替えチャンネル受信を開始し、切り替えチャンネルの画像が安定したら表示チャンネルを切り替える。
【先行技術文献】
【特許文献】
【０００４】
【特許文献１】特開２００６−１９７４９２号公報（２００６年７月２７日公開）
【特許文献２】特開２００８−１４７８１４号公報（２００８年６月２６日公開）
【特許文献３】特開２０１０−５０７８５号公報（２０１０年３月４日公開）
【発明の概要】
【発明が解決しようとする課題】
【０００５】
しかしながら、上記従来の構成では、以下の問題を生じる。
【０００６】
具体的には、特許文献１の技術では、チャンネル切り替え操作に応じて、まず、第１情報として、そのチャンネルの番組情報が表示される。その後、第２情報として、当該チャンネルの番組の映像が、表示部に表示される。このように、切り替え操作に応じて第１情報が表示されてから、第２情報が切り替えられるまでにタイムラグが生じるので、結果として、ユーザは、映像の切り替えに遅延が発生しているという印象を受けてしまう。
【０００７】
本発明は、上記の問題点に鑑みてなされたものであり、その目的は、ユーザの指示に応じて情報が切り替えられることに連動して、他の情報の表示を切り替える際に、該他の情報の切り替えが遅延しているという印象を抑制する情報表示装置、情報表示装置の制御方法、制御プログラムおよび記録媒体を実現することにある。
【課題を解決するための手段】
【０００８】
本発明の一態様に係る情報表示装置は、上記課題を解決するために、所定の順序で並べられた複数の項目のうち、フォーカスされている注目項目を少なくとも１つ表示する第１表示領域と、上記注目項目に対応付けられている情報を表示する第２表示領域とを含む表示部を備えている情報表示装置であって、入力部を介して入力された注目項目を切り替えることを指示する項目切替指示にしたがって、現在の注目項目である切替前注目項目の次に注目項目となる切替後注目項目を決定する項目決定手段と、上記項目切替指示にしたがって、上記第１表示領域に表示される注目項目を、切替前注目項目から切替後注目項目へと視覚的状態を連続的に変化させて切り替える第１切替制御手段と、上記第２表示領域に表示されている切替前注目項目に対応する情報を、切替後注目項目に対応する情報へと切り替える第２切替制御手段とを備え、上記第１切替制御手段は、上記第２切替制御手段による情報の切り替えに応じて、上記切替後注目項目への切り替えを完了することを特徴とする。
【発明の効果】
【０００９】
本発明の一態様によれば、ユーザの指示に応じて情報が切り替えられることに連動して、他の情報の表示を切り替える際に、該他の情報の切り替えが遅延しているという印象を抑制できるという効果を奏する。
【図面の簡単な説明】
【００１０】
【図１】本発明の実施形態を示すものであり、デジタルテレビ（情報表示装置）の要部構成を示すブロック図である。
【図２】デジタルテレビの記憶部に記憶されている番組情報テーブルの一具体例を示す図である。
【図３】（ａ）は、デジタルテレビにおける各表示領域の割り当て例を示す図であり、（ｂ）は、複数の項目（チャンネル）を選択肢として第１表示部（第１表示領域）に表示するためのＵＩの一具体例を示す図である。
【図４】（ａ）〜（ｅ）は、第１表示部に表示される、角柱型の漸次切替ＵＩにおいてチャンネルが漸次切り替わる様子を説明する図である。
【図５】チャンネル切替処理におけるデジタルテレビの各部の動作タイミングを示すタイミングチャートである。
【図６】デジタルテレビが実行するチャンネル切替処理の流れを示すフローチャートである。
【図７】ドラッグ操作が遅いときのチャンネル切替処理におけるデジタルテレビの各部の動作タイミングを示すタイミングチャートである。
【図８】ドラッグ操作が早いときのチャンネル切替処理におけるデジタルテレビの各部の動作タイミングを示すタイミングチャートである。
【図９】他の実施形態におけるデジタルテレビが実行するチャンネル切替処理の流れを示すフローチャートである。
【図１０】さらに他の実施形態におけるデジタルテレビの第１操作部が受け付けるドラッグ操作を説明する図である。
【図１１】さらに他の実施形態におけるデジタルテレビが実行するチャンネル切替処理の流れを示すフローチャートである。
【図１２】（ａ）は、デジタルテレビにおける各表示領域について、他の割り当て例を示す図であり、（ｂ）は、第１表示部に表示される漸次切替ＵＩの他の具体例を示す図である。
【図１３】（ａ）は、デジタルテレビにおける各表示領域について、他の割り当て例を示す図であり、（ｂ）は、漸次切替ＵＩによって切り替えられる、第２表示部に表示される情報の他の具体例を示す図である。
【発明を実施するための形態】
【００１１】
以下で説明する各実施形態では、一例として、本発明の情報表示装置をデジタルテレビに適用した場合について説明する。しかし、これに限らず、本発明の情報表示装置は、パーソナルコンピュータ（ＰＣ）、タブレットＰＣ、スマートフォン、電子黒板など、あらゆるサイズの情報表示装置に適用することが可能である。
【００１２】
なお、以下の図面において同一または相当する部分には、同一の参照符号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【００１３】
≪実施形態１≫
本発明の一実施形態について、図１〜図６に基づいて説明すると以下の通りである。
【００１４】
〔デジタルテレビの構成〕
図１は、デジタルテレビ１の構成を示すブロック図である。図１には、デジタルテレビ１が備える一般的なハードウェア構成、および、デジタルテレビ１が本発明の情報表示装置として機能するための要部構成が示される。なお、デジタルテレビ１のハードウェア構成について、本実施形態に直接関係のない部分（例えば、外部機器と通信する部分など）は、記載の簡潔性を担保する観点から、構成の説明およびブロック図から省略した。ただし、実施の実情に即して、デジタルテレビ１は当該省略した構成を含んでもよい。
【００１５】
図１に示すとおり、本実施形態では、デジタルテレビ１は、デジタル放送を選局するためのチューナとして２つのチューナを持つ、いわゆるダブルチューナのデジタルテレビである。このような形態には限定されないが、デジタルテレビ１は、選局された映像の切替遅延を抑えるために、複数のチューナを有するものであることが好ましい。なお、あるチューナが、現在選局しているデジタル放送とは別のデジタル放送を選局して映像を切り替える際には、デジタル信号処理に時間がかかる場合がある。チューナによる切り替えの所要時間（切替遅延）は、例えば、１秒程度である。
【００１６】
デジタルテレビ１は、制御部１０と、記憶部１１と、入出力処理部群と、映像処理部群とを備えている。入出力処理部群には、第１表示部１２、第１操作部１３、第２表示部１４、第２操作部１５、および音声出力部１６が含まれる。映像処理部群には、第１チューナ部１７、第２チューナ部１８、各チューナ部のためのデコーダ１９およびデコーダ２０、切替回路２１、ＯＳＤ処理回路２２、ならびに、各表示部を制御する表示制御部２３が含まれる。
【００１７】
第１表示部１２および第２表示部１４は、液晶パネル、有機ＥＬパネルなどのフラットディスプレイパネルを含み、デジタルテレビ１によって処理される情報、画像などを表示する。第１表示部１２と第２表示部１４とは、１のディスプレイパネルによって一体となって形成されていてもよく、当該１のディスプレイパネルに割り当てられた第１表示領域が第１表示部１２として、第２表示領域が第２表示部１４として機能してもよい。あるいは、第１表示部１２と第２表示部１４とは、別個に設けられていてもよい。
【００１８】
第１操作部１３および第２操作部１５は、ユーザがデジタルテレビ１を動作させるための指示を入力するためのものである。第１操作部１３は、指示体（指またはペンなど）の接触を受け付けるタッチ面と、指示体とタッチ面との間の接触／非接触（接近／非接近）、および、その接触（接近）位置を検知するためのタッチセンサ（圧力センサ、静電容量センサ、光センサなど）とで構成されている。第１操作部１３は、タッチ面に対してなされたユーザのタッチ操作をセンシングし、その入力信号をデジタルテレビ１に伝達する。第２操作部１５は、例えば、デジタルテレビ１の本体外で遠隔操作するためのリモートコントローラ（リモコン）を含む。この場合、第２操作部１５は、さらに、デジタルテレビ１の本体側において、リモコン側の各キー操作による信号（例えば赤外線による信号）を受光する受光手段（図示せず）を有している。
【００１９】
なお、本実施形態では、第１表示部１２および第１操作部１３は、一体に形成されてタッチパネルを構成するものとするが、このような実施の形態は一例であって、本発明の情報表示装置の構成を限定する意図はない。
【００２０】
音声出力部１６は、デジタルテレビ１が処理した音声信号を、音声として出力するものであり、アンプおよびスピーカ等により実現される。
【００２１】
第１チューナ部１７および第２チューナ部１８は、指定されたチャンネルのデジタル放送信号を選局して受信するものである。デコーダ１９およびデコーダ２０は、それぞれの、第１チューナ部１７および第２チューナ部１８から出力された放送信号をデコードするものである。上記放送信号は、例えば、映像信号と、音声信号と、電子番組表などが含まれるデータ信号とに分離される。切替回路２１は、デコーダ１９およびデコーダ２０のそれぞれから信号を受け付けるための２つの入力を持ち、いずれか１つの信号を切り替えて出力するものである。音声信号は、音声出力部１６へ、映像信号は、ＯＳＤ処理回路２２へ出力される。ＯＳＤ処理回路２２は、供給された映像信号に、デジタルテレビ１の内部処理で作成されたＯＳＤ（On-Screen Display）画像を重畳させる処理を実行するものである。表示制御部２３は、ＯＳＤ処理回路２２によって処理された映像信号を受け付けて、第２表示部１４に出力するものである。また、表示制御部２３は、デジタルテレビ１の内部処理で作成された画像の映像信号を第１表示部１２に出力するものである。表示制御部２３は、第１表示部１２と、第２表示部１４とのそれぞれに対して、独立して、液晶表示パネルおよびバックライトなどの駆動制御を行うことができる。なお、第１表示部１２と、第２表示部１４とが別体である場合には、表示部のそれぞれについて２つの表示制御部が設けられてもよい。
【００２２】
記憶部１１は、（１）デジタルテレビ１の制御部１０が実行する制御プログラム、（２）制御部１０が実行するＯＳプログラム、（３）制御部１０が、本発明の情報表示装置の各種機能を実行するためのアプリケーションプログラム、および、（４）該アプリケーションプログラムを実行するときに読み出す各種データを非一時的に記憶するものである。例えば、記憶部１１は、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）、ＮＶＲＡＭ（non-Volatile random access memory）などの記憶装置で実現される。
【００２３】
制御部１０は、デジタルテレビ１が備える各部を統括制御するものであり、例えば、ＣＰＵ（central processing unit）などで実現される。制御部１０は、機能ブロックとして、操作受付部３０、項目表示位置決定部３１、情報取得部３２、映像切替制御部３３、表示情報切替制御部３４、および切替項目決定部３５を備えている。制御部１０は、必要に応じて、項目表示位置補正部３６を備えていてもよい。なお、実施形態１では、項目表示位置補正部３６は不要である。上述した制御部１０の各機能ブロックは、例えば、ＣＰＵ（central processing unit）が、上述の記憶装置に記憶されているプログラムを不図示のＲＡＭ（random access memory）等に読み出して実行することで実現できる。
【００２４】
操作受付部３０は、第１操作部１３から出力された入力信号に基づいて、指示体の接触位置、指示体の移動速度、移動方向などを特定する。また、これにより、ユーザが行ったタッチ操作の種別（シングルタップ、ダブルタップ、フリック、ドラッグ、ピンチイン、ピンチアウトなど）を特定する。
【００２５】
項目表示位置決定部３１は、第１表示部１２に、複数の項目が選択肢として表示されている際に、現在注目されている項目（以下、注目項目と称する）の表示位置と、現在または切り替え中の注目項目を指し示すカーソルの位置との位置関係に応じて、フォーカス（注目）されている項目の表示位置を項目表示位置として決定するものである。本実施形態では、項目は、具体的にはチャンネルである。
【００２６】
したがって、項目表示位置は、チャンネル番号に基づいて決定することができる。
【００２７】
例えば、第１表示部１２においてフォーカスされているチャンネルにカーソルが当たっている場合、項目表示位置決定部３１は、第１表示部１２において現在カーソルが当たっているチャンネルの番号によって項目表示位置を決定することができる。なお、カーソルは、仮想的なものであってもよく、第１表示部１２において表示されていなくても構わない。また、第１表示部１２における表示では、カーソルに相当するものが所定の位置に固定されていてもよい。カーソルについては、後ほど改めて説明する。
【００２８】
また、チャンネルが切り替えられる途中においては、カーソルが隣り合う２つのチャンネルにまたがって表示される。この場合には、カーソルが当たっている割合に応じて、チャンネル番号と、２つのチャンネルの間を多段階的に定義した数値とを組み合わせて、項目表示位置は表現される。例えば、カーソルが１チャンネルと２チャンネルとの中間に位置している時点では、項目表示位置決定部３１は、項目表示位置を１．５チャンネルと決定する。なお、項目表示位置の決定方法の詳細については後述する。また、上述のとおり、項目表示位置はチャンネル番号としては実在しない数値を用いて多段階的に表現され得る。しかしながら、これらは項目表示位置を特定するための情報として用いられるものであり、実際に切り替えるチャンネル番号を指定するための情報として用いることはできない。よって、実際に切り替えるチャンネル番号としては、後述の切替項目決定部３５が、ユーザのタッチ操作が完了した後の項目表示位置に基づいて、実在するチャンネル番号に変換したものが用いられる。
【００２９】
情報取得部３２は、第１チューナ部１７、第２チューナ部１８、デコーダ１９およびデコーダ２０を制御して、指定されたチャンネルを選局して得られる情報を取得するものである。上述のとおり、情報取得部３２の制御下で得られる情報には、映像信号、音声信号、データ信号（電子番組表など）が含まれる。
【００３０】
映像切替制御部３３は、切替回路２１を制御して、第１チューナ部１７から得られた映像信号、および、第２チューナ部１８から得られた映像信号（または音声信号）のいずれか一方が、適切なタイミングで第２表示部１４（または音声出力部１６）に出力されるように信号を切り替える。
【００３１】
表示情報切替制御部３４は、操作受付部３０を介して入力されたユーザの指示にしたがって、第１表示部１２に表示されている情報を切り替えるものである。具体的には、表示情報切替制御部３４は、操作受付部３０が受け付けたタッチ操作の接触位置、移動方向、移動速度などに応じて、第１表示部１２に表示されている表示情報（チャンネル番号を表すアイコン、カーソルなどのオブジェクト）を、移動させたり、スクロールさせたりする。これにより、ユーザは、自身のタッチ操作に応じて、チャンネルが切り替わっていることを目で見て確認することができる。本実施形態では、具体例として、第１表示部１２においてチャンネルなどの項目を切り替えるので、表示情報切替制御部３４は、項目切替制御部、あるいは、チャンネル情報切替制御部として機能する。
【００３２】
切替項目決定部３５は、項目表示位置決定部３１によって決定された項目表示位置に基づいて、ユーザによって指定されたチャンネル番号を決定するものである。具体的には、ユーザのタッチ操作が完了した時点で決定された項目表示位置を、実在するチャンネル番号に変換する。例えば、実在するチャンネル番号が整数で定義されており、項目表示位置が、チャンネル番号の小数第１位の数字を用いて多段階的に定義されているとする。この場合、切替項目決定部３５は、項目表示位置の小数第１位を四捨五入（切り上げ、または、切り下げ）して、上記タッチ操作によって指定されたチャンネル番号を求めることができる。
【００３３】
〔番組情報について〕
図２は、記憶部１１に記憶されている番組情報テーブル４０の一具体例を示す図である。図２において、番組情報をテーブル形式のデータ構造にて示したことは一例であって、番組情報のデータ構造を、テーブル形式に限定する意図はない。
【００３４】
情報取得部３２の制御下で、デコーダ１９またはデコーダ２０は、第１チューナ部１７または第２チューナ部１８が選局して受信した放送信号の中から、データ信号を分離する。本実施形態では、一例として、情報取得部３２は、得られたデータ信号の中から、現在放送中の各チャンネルの番組について番組情報を抽出して、図２に示す番組情報テーブルを生成する。
【００３５】
図２に示すとおり、番組情報テーブルは、チャンネルに関連付けて、そのチャンネルで現在放送中の番組の番組情報を格納する構造である。この番組情報テーブルを参照することにより、表示情報切替制御部３４は、チャンネル番号と併せて当該チャンネルで放送中の番組の番組情報を、第１表示部１２に表示させることができる。
【００３６】
なお、記憶部１１には、図２の番組情報テーブルに限らず、取得された電子番組表の全ての情報が記憶されていてもよい。
【００３７】
〔漸次切替ユーザインターフェース（ＵＩ）について〕
図３の（ａ）は、デジタルテレビ１における各表示部の領域の割り当て例を示す図である。本実施形態では、デジタルテレビ１は、アスペクト比１６：１０の液晶表示パネルを有する。該液晶表示パネルは、上部にアスペクト比１６：９となる第２表示領域（網点の領域）と、下部にアスペクト比１６：１となる第１表示領域（斜線の領域）とを含む。前者は、第２表示部１４を構成し、後者は、第１表示部１２を構成する。上記の構成によれば、第２表示領域にフルＨＤ（Full High Definition）映像を縮小することなく表示しつつ、同時に、第１表示領域には他のコンテンツ（本実施形態では、第２表示領域の映像に関連付けられた文字情報、チャンネル番号など）を表示させることができる。なお、上述したとおり、本実施形態では、第１表示部１２は、第１操作部１３とともにタッチパネルとして構成されているので、ユーザは、第１表示領域に表示されたＵＩをタッチ操作することにより、デジタルテレビ１を操作することができる。
【００３８】
図３の（ｂ）は、複数の項目（チャンネル）を選択肢として第１表示部１２に表示するためのＵＩの一具体例を示す図である。
【００３９】
本実施形態では、一例として、多角柱のオブジェクトの側面を、ユーザの操作に応じて漸次回転させて、複数ある側面のうち、ある１面を第１表示部１２に表示させることにより、所望の選択肢の選択、すなわち、当該チャンネルへの切り替えを可能する漸次切替ＵＩが採用される。漸次切替ＵＩは、所定の順序で複数の選択肢（項目）を並べて配置したものであり、少なくとも現在フォーカスされている注目項目が第１表示部１２に表示される。より詳細には、漸次切替ＵＩは、ユーザ操作にしたがって、第１表示部１２における項目の視覚的状態を、項目から次の項目へと連続的に変化させて注目項目を切り替えることにより、注目項目を選択することを可能にするユーザインターフェースである。具体的には、例えば、漸次切替ＵＩは、ユーザ操作に応じて、注目項目を指すカーソルを複数の項目の上で連続的に（漸次）移動させることによって、注目項目を切り替える。あるいは、固定されたカーソル位置に注目項目が当たるように、複数の項目の配置を連続的に移動させることによって、注目項目を切り替える。あるいは、ユーザ操作によって指定された項目が新たに第１表示部１２に表示されるように、切替前の項目を徐々に非表示にし、新たに指定された項目を徐々に表示することによって注目項目を切り替えてもよい。すなわち、項目をフェードアウト／フェードイン、スライドアウト／スライドインさせることなども、視覚的情報を連続的に変化させることに含まれる。
【００４０】
また、視覚的情報の連続的な変化は、厳密に滑らかな連続性をもつものでなくてもよい。つまり、視覚的情報を連続的に変化させることには、視覚的情報を多段階的に変化させることが含まれる。例えば、チャンネルが２チャンネルから３チャンネルに切り替える場合、注目項目の視覚的状態（項目表示位置）を無段階的に滑らかに変化させてもよいし、２、２．２５、２．５、２．７５、３…と多段階的に変化させてもよい。また、多段階的に注目項目の視覚的状態を変化させる場合、上述の４段階には限られず、項目間において、視覚的状態を任意の段階で変化させることができる。例えば、１０段階で注目項目の視覚的状態を変化させてもよい。
【００４１】
ユーザのタッチ操作は、第１表示部１２と一体に設けられた第１操作部１３に対してなされ、操作受付部３０によって受け付けられる。ユーザのタッチ操作に応じて、表示情報切替制御部３４が、漸次切替ＵＩ（六角柱）の拡大、縮小、回転（チャンネル表示の切り替え）などを実行する。
【００４２】
例えば、選択肢となる項目が６個（６チャンネル）ある場合、記憶部１１に記憶されている六角柱のオブジェクトの側面６面に、図２の番組情報テーブルに格納されている各チャンネルの番組情報が、チャンネル番号とともに割り当てられる。図３の（ｂ）に示すとおり、六角柱のオブジェクトの状態が、チャンネル番号「４ｃｈ」と、４ｃｈの番組情報とが割り当てられた第４側面が正面を向いている状態であるとする。この場合、第１表示部１２には、第４側面が、第１表示部１２に表示される。一方、デジタルテレビ１の映像処理部群においては４ｃｈが選局されて、当該チャンネルの番組の映像が第２表示部１４に表示される。これにより、ユーザは、現在選局されているチャンネルについて、チャンネル番号と４ｃｈの番組情報とを映像とともに知ることが可能となる。また、このとき、番組情報が第２表示部１４に表示されている映像に重ねられたり、当該映像が番組情報の表示のために縮小されたりすることがないので、第２表示部１４の映像の視認性が阻害されることがない。
【００４３】
図４の（ａ）〜（ｅ）は、第１表示部１２に表示される、角柱型の漸次切替ＵＩにおいてチャンネルが漸次切り替わる様子を説明する図である。
【００４４】
図４の（ａ）に示すとおり、第１操作部１３に対してユーザのタッチ操作が行われていない状態では、１つのチャンネル（図の例では「４ｃｈ」）が選択された状態で、漸次切替ＵＩが第１表示部１２に表示される。具体的には、４ｃｈに対応する六角柱の側面がフォーカスされ、六角柱の表示サイズは、上記側面だけが第１表示部１２に表示される大きさで維持される。
【００４５】
図４の（ｂ）に示すとおり、第１操作部１３に対してタッチ操作が開始されると、縮小された六角柱全体が第１表示部１２に表示されて、六角柱が奥に押し込まれる様子が再現される。そして、ユーザは、続けて六角柱を回転させたい方向にドラッグ操作またはフリック操作を行う。以下、本実施形態では、ドラッグ操作という用語を用いるが、ベクトルの大きさと方向とを指示することができる操作として、ドラッグ操作とフリック操作を区別することなく取り扱う。よって、ドラッグ操作の用語は、フリック操作を排除する意図はない。
【００４６】
図４の（ｃ）に示すとおり、第１操作部１３に対してドラッグ操作が行われると、操作受付部３０がドラッグ方向を特定し、表示情報切替制御部３４がそのドラッグ方向にしたがって六角柱の回転を開始する。具体的には、ユーザが上から下へドラッグ操作を行った場合には、第１表示部１２に表示されている手前の側面が上から下へ流れるように六角柱を回転させる。表示情報切替制御部３４は、側面が真正面の状態を瞬時に切り替えるのではなく、図４の（ｃ）に示すとおり、六角柱が徐々に（漸次）回転する様子をアニメーションで表示する。このとき、六角柱の表示サイズは、全体が第１表示部１２に収まるように縮小されたままである。これにより、六角柱の回転をより立体的にユーザに見せることができ、六角柱が回転している途中であることがユーザに分かり易くなる。
【００４７】
表示情報切替制御部３４によって六角柱の回転が開始される一方、第２表示部１４においては、回転が開始される直前に選局されていたチャンネル（４ｃｈ）の映像の表示が維持される。第１表示部１２の映像は、回転後最終的にどのチャンネルが指定されたのが決定され、その新しいチャンネルの選局が完了した後に切り替えられる。このように、本発明のデジタルテレビ１は、第２表示部１４の映像が切り替わる前から、ユーザのタッチ操作に反応して即時にチャンネル表示の漸次切り替え（すなわち、六角柱の回転）を開始する。これにより、映像を切り替えるのに多少の時間を要するために生じてしまうタイムラグ、すなわち、タッチ操作に対して反応がない時間（ユーザの目から見て、表示部に何の変化も起こらない時間）をなくすことができ、ユーザが抱く遅延の印象を解消することができる。
【００４８】
図４の（ｄ）に示すとおり、ユーザのドラッグ操作が終了すると、表示情報切替制御部３４は、六角柱のドラッグ操作に基づく回転を止める。回転停止直後の六角柱において、図４の（ｃ）に示すように１側面が真正面に来ていない状態、すなわち、項目表示位置が複数のチャンネルにまたがっている状態になることが想定される。このような場合には、上述したとおり、切替項目決定部３５が、停止直後の項目表示位置に基づいて、当該項目表示位置の値を四捨五入するなどして、実在するチャンネル番号に変換し、新たにフォーカスされるチャンネルを決定する。表示情報切替制御部３４は、切替項目決定部３５が決定したチャンネルの側面が真正面に来るように六角柱の自動回転を実行し、六角柱の姿勢を微調整する。
【００４９】
図４の（ｅ）に示すとおり、六角柱の微調整のための回転を終えると、表示情報切替制御部３４は、六角柱の表示サイズをドラッグ操作が開始される前の元のサイズに戻す。これにより、奥に押し込まれていた六角柱が手前に戻ってきた様子を表現することができ、４ｃｈから５ｃｈへのチャンネルの切り替えが完了したことを、視覚的かつ直感的にユーザに分かり易く伝えることができる。
【００５０】
なお、六角柱のオブジェクトが、チャンネル番号を表示する部分と番組情報を表示する部分とに分かれており、各部分が独立して回転するようになっていてもよい。この場合、チャンネル番号を表示する部分の回転後に番組情報を表示する部分が連動して変化(回転)してもよい。また、この場合、番組情報を表示する部分の回転が終了したときにチャンネルの切り替えが完了したと認識してもよい。
【００５１】
一方、映像切替制御部３３は、切り替え後のチャンネル（５ｃｈ）を選局した第１チューナ部１７または第２チューナ部１８によって取得された、５ｃｈの映像が第２表示部１４に表示されるように、切替回路２１を制御する。本発明のデジタルテレビ１において、映像切替制御部３３は、映像の切り替えを、漸次切替ＵＩ（六角柱）に表示されているチャンネルの切り替えが完了する時点（図４の（ｅ）の時点）以前に行う。より好ましくは、映像切替制御部３３は、漸次切替ＵＩのチャンネルの切り替えが完了するのと同時に、第２表示部１４の映像の切り替えを行うことが好ましい。
【００５２】
そのために、情報取得部３２は、２以上のチューナ部の空いている方を制御して、ユーザによって選択されるチャンネルを予測し、当該チャンネルの選局を事前に行わせることが可能である。また、表示情報切替制御部３４は、切り替え後のチャンネルの選局、および、当該チャンネルの映像取得が間に合うように、六角柱の回転速度を調整することも可能である。
【００５３】
上記構成によれば、第１表示部１２において、チャンネルの切り替えが完了する時点もしくはそれ以前に、第２表示部１４の映像を切り替えることが可能となる。つまり、ユーザが、第１表示部１２に表示された漸次切替ＵＩを見て、チャンネルの切り替えが完了したと認識したときか、または、それよりも早く、第２表示部１４における映像の切り替えを完了させることができる。そのため、ユーザがチャンネルが切り替わったと認識してから、実際に映像が切り替わるまでの間に従来生じていたタイムラグをなくすことができ、ユーザが抱く遅延の印象を解消することができる。
【００５４】
本発明の上記漸次切替ＵＩを実現するための制御部１０の各部の各機能について、以下でより詳細に説明する。デジタルテレビ１が、ユーザ操作に応じて、第１表示部１２に表示されるチャンネル表示を漸次切り替えるとともに、第２表示部１４に表示される映像を指定されたチャンネルの映像に切り替えることを「チャンネル切替処理」と称する。
【００５５】
〔チャンネル切替処理について〕
図５は、チャンネル切替処理におけるデジタルテレビ１の各部の動作タイミングを示すタイミングチャートである。図６は、デジタルテレビ１が実行するチャンネル切替処理の流れを示すフローチャートである。
【００５６】
なお、図５において、時間の経過を左から右へかけて横軸にとり、任意の時点、ｔ１、ｔ２、・・・、ｔ５、・・・を示しているが、横軸の長さは時間の長さを表していない。つまり、各時点ｔ１、ｔ２、・・・、ｔ５、・・・、は、チャンネル切替処理中のある任意の時点を表しているにすぎない。よって、各時点は、横軸に等間隔に配置されているが、このことは、各時点が一定の時間間隔であることを意味していない。図７および図８についても同様である。
【００５７】
また、図５に示す漸次切替ＵＩにおいて太枠で示したものは、カーソルに相当するものである。しかしながら、このようなカーソルの図示は説明のためであり、上述のように、カーソルは表示されていなくてもよいし、画面の所定の位置において固定されていてもよい。
【００５８】
また、項目表示位置決定部３１は、カーソルの基準線（例えば、図５のカーソルを示す太枠の上端）を用いて項目表示位置を決定することができる。具体的には、フォーカスされ、カーソルが当たっているチャンネルから、どの程度基準線が昇順方向または降順方向に移動したかに基づいて、項目表示位置決定部３１は、項目表示位置を決定することができる。
【００５９】
時点ｔ１は、タッチ操作（後のドラッグ操作）が開始された時点である。この時点では、第１表示部１２には、一例として、六角柱の２ｃｈの側面がフォーカスされて表示されているとする。つまり、ｔ１では、漸次切替ＵＩの項目表示位置は、「２（ｃｈ）」であり、選局されている実在の２ｃｈと一致する。第１チューナ部１７は、情報取得部３２の制御下で、２ｃｈを選局している。切替回路２１は、映像切替制御部３３の制御下で、第１チューナ部１７によって取得される映像信号（すなわち、２ｃｈの映像）を選択し、第２表示部１４に出力させている。
【００６０】
時点ｔ１で（Ｓ１０１においてＹＥＳ）、まず、項目表示位置決定部３１は、ドラッグ操作が開始される直前までフォーカスされていたチャンネル（切替前注目チャンネル）として「２ｃｈ」を取得する（Ｓ１０２）。なお、この時点で、表示情報切替制御部３４は、六角柱を縮小して表示させてもよい。
【００６１】
ここで、時点ｔ１周辺のように、もう一方のチューナ（第２チューナ部１８）が空いている期間があれば、その期間、情報取得部３２は、空いている第２チューナ部１８を制御して、定期的にすべてのチャンネルを順次選局させて、各チャンネルの最新の番組情報を取得しておく構成であってもよい。こうして、図２に示す番組情報テーブルの番組情報が定期的に更新されて最新の番組情報が維持される。つまり、漸次切替ＵＩにおいてチャンネル番号とともに表示される番組情報を最新の状態に保つことが可能となる。ユーザは、チャンネル番号ではなく、番組情報が表示されている領域をドラッグして、チャンネルを切り替えることができてもよい。
【００６２】
時点ｔ１以降、タッチ操作が継続されてドラッグ操作が開始されると（Ｓ１０３においてＹＥＳ）、操作受付部３０は、ドラッグ方向を特定する（Ｓ１０４）。続いて、項目表示位置決定部３１は、特定されたドラッグ方向に基づいて項目表示位置を取得する（Ｓ１０５）。例えば、図５に示すとおり、ドラッグ方向が下である場合、チャンネル番号は昇順に回転される。よって、項目表示位置決定部３１は、項目表示位置を決定するための基準線を、チャンネル番号の数字が大きい側（図５のカーソルを示す太枠の上端）にとる。回転が開始される直前では、項目表示位置の上端は、２ｃｈと３ｃｈとの境界にあり、項目表示位置決定部３１は、この境界位置を、項目表示位置「２ｃｈ」と決定する。なお、ドラッグ方向が上であるとき（すなわち、チャンネル番号が降順に回転されるとき）、項目表示位置決定部３１は、基準線をカーソルの下端側にとってもよい（チャネル番号の数字が小さい側）。
【００６３】
続いて、表示情報切替制御部３４は、特定されたドラッグ方向にしたがって、ドラッグの動きに合わせて六角柱を回転させて、項目表示位置をチャンネル番号の数字が大きい側へ漸次移動させる（Ｓ１０６）。時点ｔ２は、回転中のある時点を示している。時点ｔ２では、項目表示位置が２ｃｈから３ｃｈに移行する過程であり、基準線が、２ｃｈと３ｃｈとの間に定義された１０段階の目盛の１つ目に到達している。この時点では、項目表示位置決定部３１は、項目表示位置を２．１ｃｈと決定する。
【００６４】
項目表示位置決定部３１は、上記ドラッグ方向にて、決定した項目表示位置が、次のチャンネルにさしかかったか否かを判断する（Ｓ１０７）。ドラッグ方向が、昇順である場合は、項目表示位置が実際のチャンネル番号を超えると、次のチャンネルにさしかかったと判断される。反対に、降順である場合は、実際のチャンネル番号を下回ると、次のチャンネルにさしかかったと判断される。具体的には、項目表示位置決定部３１は、時点ｔ２のように、項目表示位置が、切替前注目チャンネル（２ｃｈ）を超えて、次のチャンネル（３ｃｈ）にさしかかったと判断したとする（Ｓ１０７においてＹＥＳ）。この場合、情報取得部３２は、映像の先読みが必要と判断し、現在視聴されているチャンネル（２ｃｈ）を選局しているチューナとは別の空いているチューナ、例えば、第２チューナ部１８を制御して、上記次のチャンネルの選局を開始する（Ｓ１０８）。これにより、３ｃｈの映像を予め取得しておくことが可能になる。
【００６５】
ドラッグ操作が継続し、かつ、同じドラッグ方向が維持されている場合には（Ｓ１０９においてＮＯ、Ｓ１１０においてＮＯ）、Ｓ１０６〜Ｓ１０８が繰り返される。例えば、時点ｔ３は、ユーザの同方向のドラッグ操作が継続しているある時点を示す。なお、ドラッグ操作は継続されているものの、ドラッグ方向が反対方向に変更された場合には（Ｓ１０９においてＮＯ、Ｓ１１０においてＹＥＳ）、デジタルテレビ１は、Ｓ１０４に戻り、ドラッグ方向を特定しなおし、項目表示位置の基準線を特定しなおして、同様の処理を繰り返す。
【００６６】
時点ｔ４のように、ユーザのドラッグ操作が終了した場合（Ｓ１０９においてＹＥＳ）、切替項目決定部３５は、このドラッグ操作の後に切り替えられる新たなチャンネル（切替後注目チャンネル）を決定する（Ｓ１１１）。具体的には、ドラッグ操作が終了した時点ｔ４において、項目表示位置決定部３１は、項目表示位置を決定する。図５に示す例では、項目表示位置を２．９ｃｈと決定する。項目表示位置が実在しないチャンネル番号の値を取るとき、切替項目決定部３５は、項目表示位置（２．９ｃｈ）を四捨五入して、実在するチャンネル番号（３ｃｈ）に変換して、切替後注目チャンネルを決定する。上記のとおり、切替後注目チャンネルは、基準線に応じて決定される項目表示位置に基づいて決定される。よって、基準線は、切替後注目チャンネルを決めるための仮想的な位置ともいうことができる。フォーカスされている項目の表示が、カーソルからどの程度移動したかが判別できれば基準線のとり方に特に制限はない。例えば、カーソル中央に基準線をとっても構わない。
【００６７】
続いて、映像切替制御部３３は、切替項目決定部３５によって決定された切替後注目チャンネルの映像が第２表示部１４に表示されるように切替回路２１を制御する（Ｓ１１２）。なお、Ｓ１０２にて特定された切替前注目チャンネルと、Ｓ１１１にて特定された切替後注目チャンネルが同一であった場合には、映像切替制御部３３は映像を切り替える必要はないと判断する。一方、Ｓ１０８（時点ｔ２以降）にて、空いている第２チューナ部１８が予め選局していたチャンネルが切替後注目チャンネルである場合には、映像切替制御部３３は、第２チューナ部１８からの映像信号を選択して、タイムラグを生じさせることなくすぐに、第２表示部１４の映像を３ｃｈの映像に切り替えることができる。
【００６８】
Ｓ１１１（時点ｔ４）の後、映像が切り替えられている一方で、表示情報切替制御部３４は、漸次切替ＵＩにおけるチャンネル表示の切り替えを継続している。具体的には、時点ｔ４では、ドラッグ操作が終了し、項目表示位置が２．９ｃｈとなり、切替後注目チャンネルが３ｃｈと確定している。そこで、ドラッグ操作が終了した後、表示情報切替制御部３４は、自動で六角柱を回転させて、項目表示位置が３ｃｈになるように、すなわち、３ｃｈの側面が真正面に来るように、六角柱の姿勢を微調整する（Ｓ１１３）。
【００６９】
ここで、本発明のデジタルテレビ１において、映像切替制御部３３が第２表示部１４において、切替前注目チャンネル（２ｃｈ）の映像を、切替後注目チャンネル（３ｃｈ）の映像に切り替えるタイミングは、表示情報切替制御部３４が上記の微調整のための回転を終わらせて、２ｃｈから３ｃｈへのチャンネル表示の切り替えを完了する時点（図５の時点ｔ５）以前となる。より好ましくは、図５に示すとおり、表示情報切替制御部３４がチャンネル表示の漸次切り替えを完了させる時点ｔ５と、映像切替制御部３３が映像を切り替える時点ｔ５とは同時である。
【００７０】
上記構成によれば、第１表示部１２において、チャンネルの切り替えが完了する時点もしくはそれ以前に、第２表示部１４の映像を切り替えることが可能となる。つまり、ユーザが、第１表示部１２に表示された漸次切替ＵＩを見て、チャンネルの切り替えが完了したと認識したときか、または、それよりも早く、第２表示部１４における映像の切り替えを完了させることができる。そのため、ユーザがチャンネルが切り替わったと認識してから、実際に映像が切り替わるまでの間に従来生じていたタイムラグをなくすことができ、ユーザが抱く遅延の印象を解消することができる。
【００７１】
第１表示部１２におけるチャンネル表示の漸次切り替えが完了するのと同時に、第２表示部１４における映像の切り替えを行う構成では、さらに以下の効果を奏する。
【００７２】
例えば、上述の特許文献１の技術では、切り替え操作に応じてチャンネル表示または番組情報が表示されてから、映像が切り替えられるまでにタイムラグが生じる。しかし、そのタイムラグの長さは、ユーザに通知されない。そのため、映像の切り替えにかかる待機時間がユーザに伝わらず、ユーザはタイムラグを必要以上に長く感じたり、操作性が悪いと感じたりして、ユーザを苛立たせる要因となっていた。
【００７３】
これに対して、本発明のデジタルテレビ１の構成によれば、第１表示部１２において、漸次切替ＵＩが切り替えられている途中の様子をアニメーションで漸次表示する一方、回転途中で予測した切替後のチャンネルについて映像を先読みしておき、回転が完了するのと同時に、第２表示部１４において映像を切り替える。そのため、ユーザは、漸次切替ＵＩが徐々に切り替わる（回転する）アニメーションを見ながら、回転終了時点、すなわち、映像が切り替わる時点を予測することができる。このように視覚的情報に基づいて、映像切り替え時点をユーザは直感的に理解するので、操作上の違和感をなくし、ユーザを苛立たせる要因を排除することが可能となる。さらに、表示情報切替制御部３４が六角柱の回転速度を一定にすれば、ユーザは、映像が切り替わる時点をさらに予測しやすくなるというメリットがある。
【００７４】
なお、図５に図示した通りのタイミングには限定されず、表示情報切替制御部３４がチャンネル表示の漸次切り替えを完了させる時点と、映像切替制御部３３が映像を切り替える時点とは異なっていてもよい。
【００７５】
表示情報切替制御部３４がチャンネル表示の漸次切り替えを完了させる時点は、映像切替制御部３３が映像を切り替える時点以降であってもよい。また、表示情報切替制御部３４がチャンネル表示の漸次切り替えを完了させる時点は、映像切替制御部３３が映像を切り替える時点よりも所定時間前であってもよい。例えば、映像切替制御部３３が映像を切り替える時点を、１．０秒とした場合、表示情報切替制御部３４がチャンネル表示の漸次切り替えを完了させる時点は、０．８秒程度であってもよいし０．５秒程度であってもよい。
【００７６】
≪実施形態２≫
本発明の情報表示装置に関する他の実施形態について、図１、図７〜図９に基づいて説明すれば、以下のとおりである。本実施形態に係る情報表示装置は、従来技術の以下の課題を解決する。
【００７７】
特許文献２、３には、ダブルチューナを搭載したデジタル放送受信装置が開示されている。デジタル放送受信装置は、チャンネルアップダウンボタンを用いてザッピング選局されると、その操作方向に応じて昇順または降順でチャンネルが切り替わることから、選局中のチャンネルの次のチャンネルをバックグラウンドで先読みすることができる。これにより、先読みした分、切り替え操作が行われてから切り替え後のチャンネルの番組が表示されるまでの時間を短縮する。
【００７８】
しかしながら、単に次のチャンネルを先読みする構成では、その先読みしたチャンネルがユーザが最終的に所望するチャンネルではないことがあり、ユーザが望むチャンネルの番組を、遅延を発生させずに切り替えることができない場合がある。特に、チャンネルの指定を離散的な入力によって行わずに、上述の実施形態１におけるドラッグ操作のように、アナログ的（連続的）な入力によって行う場合には、チャンネル先読みの不正確性の問題は極めて顕著である。
【００７９】
本実施形態では、デジタルテレビ１は、ドラッグ操作の速度を考慮して、ドラッグ速度に応じて先読みすべきチャンネルを予測するとともに先読みのタイミングを制御する。
【００８０】
〔デジタルテレビの構成〕
実施形態２におけるデジタルテレビ１の構成は、実施形態１のそれと比較して以下の点が異なる。
【００８１】
制御部１０の操作受付部３０は、ドラッグ方向に加えて、ユーザのドラッグ操作によって生じる指の移動の軌跡とその移動時間とに基づいてドラッグ速度を特定する。
【００８２】
表示情報切替制御部３４は、漸次切替ＵＩ（六角柱）を回転させる速度、すなわち、項目表示位置を移動させる速度を、上記ドラッグ速度に応じて変化させる。
【００８３】
情報取得部３２は、映像を第２チューナ部１８に先読みさせるタイミングを、項目表示位置と、ドラッグ速度とに応じて決定する。
【００８４】
情報取得部３２は、ドラッグ速度が早いときは、先読みのタイミングを早くする一方、ドラッグ速度が遅いときは、先読みのタイミングを遅らせる。例えば、項目表示位置が、３ｃｈにさしかかったとき（項目表示位置が２．１以上になったとき）、そのときのドラッグ速度が高速であれば、２．１ｃｈに到達した時点で３ｃｈの選局を開始させる。中速であれば、２．５ｃｈに到達した時点で、低速であれば、２．８ｃｈに到達した時点で、３ｃｈの選局を開始させる、といった具合である。
【００８５】
制御部１０は、機能ブロックとして、さらに、項目表示位置補正部３６を備えている。項目表示位置補正部３６は、ドラッグ操作が終了した時点の項目表示位置を、ドラッグ速度に基づいて補正するものである。
【００８６】
表示情報切替制御部３４は、ドラッグ操作が終了した後、補正された項目表示位置に合うように、第１表示部１２に表示されている漸次切替ＵＩ（六角柱）を自動で回転させる。これにより、六角柱の慣性回転（慣性移動）が実現される。慣性回転は、ドラッグ操作の速度（勢い）に応じた速度で、六角柱を回転させて、ドラッグ操作が終わった後も、あたかも慣性によって回転が持続されるかのような状態を表示情報切替制御部３４が再現したものである。本実施形態では、表示情報切替制御部３４は、摩擦によって自然に回転が止まると言う様子も加えて再現する。よって、項目表示位置補正部３６は、ドラッグ操作が終了した時点の項目表示位置に対して、終了時点のドラッグ速度に基づいて所定の規則に基づいて、慣性回転分の移動距離を加算する。なお加算する移動距離は、ドラッグ方向が昇順であれば正の数、降順であれば負の数となる。
【００８７】
なお、補正後の、すなわち、移動距離加算後の項目表示位置が、少数点以下の値を持つ実在しないチャンネル番号の値になる場合には、実施形態１と同様に、切替項目決定部３５が、上記値を四捨五入して実在のチャンネル番号に変換する。この場合、表示情報切替制御部３４は、慣性回転に加えて微調整のための回転を自動で実施する。
【００８８】
〔チャンネル切替処理について〕
図７は、ドラッグ操作が遅いときのチャンネル切替処理におけるデジタルテレビ１の各部の動作タイミングを示すタイミングチャートである。図８は、ドラッグ操作が早いときのチャンネル切替処理におけるデジタルテレビ１の各部の動作タイミングを示すタイミングチャートである。図９は、実施形態２のデジタルテレビ１が実行するチャンネル切替処理の流れを示すフローチャートである。
【００８９】
図７および図９を参照して、ドラッグ操作が遅い場合のチャンネル切替処理について説明する。
【００９０】
Ｓ２０１〜Ｓ２０３は、実施形態１と同様である。Ｓ２０３において操作受付部３０は、ドラッグ操作を認識すると、ドラッグ方向に加えてドラッグ速度を特定する（Ｓ２０４）。続いて、項目表示位置決定部３１は、特定されたドラッグ方向に基づいて項目表示位置を取得する（Ｓ２０５）。ドラッグ方向が下である場合、チャンネル番号は昇順にフォーカスされるので、実施形態１と同様に、基準線をフォーカス範囲（太枠内）の上端にとり、時点ｔ１の項目表示位置を２ｃｈと特定する。
【００９１】
続いて、表示情報切替制御部３４は、項目表示位置を、特定されたドラッグ方向に、特定されたドラッグ速度に応じた移動速度で移動させる（Ｓ２０６）。本実施形態では、表示情報切替制御部３４は、上記ドラッグ方向へ、上記ドラッグ速度に応じた回転速度で、六角柱を回転させる。このとき、表示情報切替制御部３４は、回転（移動）の速度を、特定されたドラッグ速度に応じて変化させる。どのようなドラッグ速度の場合に、どのような回転速度にするのかは、予め適宜決定されていればよい。ここでは、ドラッグ速度は比較的低速であるので、表示情報切替制御部３４は、その低速度に合わせて、項目表示位置をチャンネル番号の数字が大きい側へ漸次と移動させる。イベントが起こらずドラッグが継続されているうちは（Ｓ２０７においてＮＯ、Ｓ２０９においてＮＯ、Ｓ２１０においてＮＯ）、項目表示位置が、２．１、２．２、．．．、２．７と移動するように、六角柱の回転が継続される。時点ｔ２は、項目表示位置が２ｃｈから３ｃｈに移行する過程であり、基準線が、２ｃｈと３ｃｈとの間に定義された１０段階の目盛の８つ目に到達している。この時点では、項目表示位置決定部３１は、項目表示位置を２．８ｃｈと決定する。
【００９２】
項目表示位置決定部３１は、決定した項目表示位置が、上記ドラッグ方向において、次のチャンネルに、上記ドラッグ速度に応じた閾値分以上に到達したか否かを判断する（Ｓ２０７）。具体例を挙げて説明すると、時点ｔ２のように、項目表示位置が、切替前注目チャンネル（２ｃｈ）を超えて、次のチャンネル（３ｃｈ）にさしかかり、なおかつ、所定目盛以上に到達したとする。図７に示す例では、低速の場合の目盛の閾値は、８０％である。ドラッグ速度が低速で、ドラッグ方向が昇順の場合に、最新の項目表示位置が、境界の項目表示位置（２ｃｈ）から、＋０．８ｃｈ分次のチャンネルに到達したと項目表示位置決定部３１が判断すると（Ｓ２０７においてＹＥＳ）、情報取得部３２は、次のチャンネルの先読みを開始すべきと判断する。そして、情報取得部３２は、具体的には、現在視聴されているチャンネル（２ｃｈ）を選局しているチューナとは別の空いているチューナ、例えば、第２チューナ部１８を制御して、上記次のチャンネルの選局を開始する（Ｓ２０８）。これにより、３ｃｈの映像を予め取得しておくことが可能になる。ドラッグ速度、すなわち、六角柱の回転速度が比較的低速であるので、項目表示位置が、２．８ｃｈくらいから選局を開始しても、項目表示位置が３ｃｈに到達するころまでに、３ｃｈの映像は充分間に合う。このように回転速度に応じて選局が間に合うように、Ｓ２０７で参照する閾値は適宜設定される。
【００９３】
なお、ドラッグ操作は継続されているものの、ドラッグ方向およびドラッグ速度の少なくとも１つが変更された場合には（Ｓ２０９においてＮＯ、Ｓ２１０においてＹＥＳ）、デジタルテレビ１は、Ｓ２０４に戻り、変更されたドラッグ方向およびドラッグ速度の少なくとも１つを特定しなおす。そして、以降の処理を繰り返す。
【００９４】
時点ｔ３のように、ユーザのドラッグ操作が終了した場合（Ｓ１０９においてＹＥＳ）、項目表示位置決定部３１は、ドラッグ終了時点ｔ３の項目表示位置（図７の例では、３．８ｃｈ）を特定する。一方、項目表示位置補正部３６は、時点ｔ３にて最後に特定されたドラッグ速度を操作受付部３０から取得する（Ｓ２１１）。項目表示位置補正部３６は、上記項目表示位置に、上記ドラッグ速度に応じた慣性移動（回転）距離を加算して、項目表示位置を補正する（Ｓ２１２）。具体的には、項目表示位置補正部３６は、時点ｔ３の項目表示位置３．８ｃｈを、時点ｔ３のドラッグ速度に基づいて補正する。図７の例では、ドラッグ方向は昇順であり、ドラッグ速度は低速であったとする。この場合、項目表示位置補正部３６は、低速の場合に加算する移動距離＋０．５ｃｈ分を、上記項目表示位置３．８ｃｈに加算して、慣性回転後の項目表示位置４．３ｃｈを算出する。
【００９５】
加算される移動距離、すなわち補正値は、例えば、高速の場合±１．５ｃｈ、中速の場合±０．８ｃｈ、低速の場合±０．５ｃｈというようにドラッグ速度に応じて予め決定されている。なおドラッグ方向が昇順の場合は、補正値は正の数、降順の場合には負の数となる。また、具体的にどの速度範囲（例えば、ｎ〜ｍピクセル／秒）が、高速、中速、低速のどの速度区分に属するのかについても、予め決定されているものとする。
【００９６】
切替項目決定部３５は、補正後（慣性回転後）の項目表示位置４．３ｃｈに基づいて、このドラッグ操作の後に切り替えられる新たなチャンネル（切替後注目チャンネル）を決定する（Ｓ２１３）。図７に示す例では、ドラッグ操作が終了した時点ｔ３において、項目表示位置決定部３１は、項目表示位置を３．８ｃｈと決定し、項目表示位置補正部３６が、項目表示位置を４．３ｃｈに補正する。補正の結果、項目表示位置が実在しないチャンネル番号の値を取るとき、切替項目決定部３５は、項目表示位置（４．３ｃｈ）の小数第一位を四捨五入して、実在するチャンネル番号（４ｃｈ）に変換して、切替後注目チャンネルを決定する。
【００９７】
続いて、映像切替制御部３３は、切替項目決定部３５によって決定された切替後注目チャンネルの映像が第２表示部１４に表示されるように切替回路２１を制御する。具体的には、Ｓ２０３にて予め選局していたチャンネルと、Ｓ２１３にてドラッグ操作終了後に特定された切替後注目チャンネルとが同一であった場合には（Ｓ２１４においてＹＥＳ）、映像切替制御部３３は、第２チューナ部１８からの映像信号を選択して、タイムラグを生じさせることなくすぐに、第２表示部１４の映像を４ｃｈの映像に切り替えることができる（Ｓ２１５）。なお、Ｓ２０３にて予め選局していたチャンネルと、Ｓ２１３にてドラッグ操作終了後に特定された切替後注目チャンネルとが一致しない場合には（Ｓ２１４においてＮＯ）、情報取得部３２は、切替後注目チャンネルの選局をすぐに第２チューナ部１８に開始させて、その映像が取れ次第、映像切替制御部３３がすぐに当該映像に切り替えればよい。
【００９８】
Ｓ２１５（時点ｔ３）の後、映像が切り替えられている一方で、表示情報切替制御部３４は、漸次切替ＵＩにおけるチャンネル表示の切り替えを継続している。具体的には、まず、時点ｔ３では、ドラッグ操作が終了し、項目表示位置が３．８ｃｈとなり、慣性回転後の項目表示位置が４．３ｃｈと確定している。そこで、ドラッグ操作が終了した後、表示情報切替制御部３４は、自動で六角柱を回転させて、項目表示位置が４．３ｃｈになるように、六角柱を慣性回転させる。ドラッグ速度が低速であるので、慣性回転による項目表示位置の移動距離は、比較的短い。図７では、時点ｔ３から時点ｔ４にかけて慣性回転が継続される。さらに、項目表示位置が４．３ｃｈであることから、切替後注目チャンネルが４ｃｈと確定している。そこで、慣性回転が終了した時点４から時点ｔ５にかけて、表示情報切替制御部３４は、項目表示位置を調節して、チャンネルの切り替えを完了する（Ｓ２１７）。具体的には、表示情報切替制御部３４は、六角柱を回転させて、項目表示位置が４ｃｈになるように、すなわち、４ｃｈの側面が真正面に来るように、六角柱の姿勢を微調整する。図７に示す例では、４．３ｃｈまで行き過ぎた項目表示位置を４ｃｈまで戻すアニメーションが第１表示部１２において再現される。
【００９９】
ここで、本発明のデジタルテレビ１において、表示情報切替制御部３４が慣性回転または上記の微調整のための回転を終わらせて、２ｃｈから３ｃｈを経て４ｃｈへのチャンネル表示の漸次切り替えを完了するタイミングは（図７の時点ｔ５）、映像切替制御部３３が第２表示部１４において、切替前注目チャンネル（２ｃｈ）の映像を、切替後注目チャンネル（４ｃｈ）の映像に切り替えた以後であってもよい。より好ましくは、図７に示すとおり、表示情報切替制御部３４がチャンネル表示の漸次切り替えを完了させる時点ｔ５と、映像切替制御部３３が映像を切り替える時点ｔ５とは同時である。なお、表示情報切替制御部３４が慣性回転または上記の微調整のための回転を終わらせて、２ｃｈから３ｃｈを経て４ｃｈへのチャンネル表示の漸次切り替えを完了するタイミングは（図７の時点ｔ５）、映像切替制御部３３が第２表示部１４において、切替前注目チャンネル（２ｃｈ）の映像を、切替後注目チャンネル（４ｃｈ）の映像に切り替える所定時間前であってもよい。当該所定時間は、ユーザに切り替えの遅延を感じさせないような時間を基準に決定することができる。言い換えれば、当該所定時間は、映像切替制御部３３が映像を切り替えるのにかかる時間に基づき決定することができる。
【０１００】
ドラッグ操作が早い場合のチャンネル切替処理も、図９に示すとおり、基本的には、ドラッグ操作が遅い場合と同様に実施される。
【０１０１】
しかし、ドラッグ操作が早い場合には、項目表示位置の移動速度（六角柱の回転速度）も早いため、選局開始のタイミングを早めないと、時点ｔ５での映像の切り替えに間に合わない可能性がある。そのため、高速の場合の目盛の閾値は、例えば、１０％に設定されている。そして、図８に示すとおり、情報取得部３２は、ドラッグ操作が高速の場合には、項目表示位置が次のチャンネルの１目盛目に到達した時点（例えば、図８の時点ｔ２）で、低速のときよりも早めに上記次のチャンネルの選局を開始する。
【０１０２】
また、時点ｔ３でドラッグ操作が終了した場合、項目表示位置補正部３６は、ドラッグ速度に応じて、高速の場合にはより長く慣性回転させるために、加算する移動距離をより多くする。具体的には、ドラッグ方向が昇順で、ドラッグ速度が高速の場合には、＋１．５ｃｈ分の移動距離を、時点ｔ３の項目表示位置（３．１ｃｈ）に加算する。項目表示位置は、４．６ｃｈに補正される。さらに、切替項目決定部３５によって、切替後注目チャンネルは、５ｃｈと決定される。
【０１０３】
情報取得部３２は、５ｃｈと決定された時点、すなわち、ドラッグ操作が終わったｔ３の時点で、早速、５ｃｈの選局を開始する。これまで選局していた３ｃｈは、慣性回転のための加算および微調整のための四捨五入の結果、選局されないことが判明したので、第２チューナ部１８に３ｃｈの選局を終わらせて、５ｃｈの選局を開始するように情報取得部３２が命じればよい。
【０１０４】
情報取得部３２が５ｃｈの映像を準備している一方、表示情報切替制御部３４は、第１表示部１２に表示されている漸次切替ＵＩに対して、ドラッグ操作が終わった後の、慣性回転および微調整のための回転とを継続して行う。まず、表示情報切替制御部３４は、項目表示位置が、４．６ｃｈのところに来るように慣性回転を実行する。時点ｔ４は、慣性回転が終了した時点を示す。次に、表示情報切替制御部３４は、項目表示位置が、４ｃｈに一致するように微調整のための回転を実行する。時点ｔ５は、微調整回転が終了した時点を示す。
【０１０５】
ここで、本発明のデジタルテレビ１において、映像切替制御部３３が第２表示部１４において、切替前注目チャンネル（２ｃｈ）の映像を、切替後注目チャンネル（５ｃｈ）の映像に切り替えるタイミングは、表示情報切替制御部３４が慣性回転または上記の微調整のための回転を終わらせて、２ｃｈから３ｃｈへ回転し、３ｃｈから４ｃｈへ自動で回転することを経て、５ｃｈへのチャンネル表示の切り替えを完了する時点（図８の時点ｔ５）以前となる。より好ましくは、図８に示すとおり、表示情報切替制御部３４がチャンネル表示の漸次切り替えを完了させる時点ｔ５と、映像切替制御部３３が映像を切り替える時点ｔ５とは同時である。
【０１０６】
そして、以上のとおり、本発明のデジタルテレビ１は、ドラッグ操作の速度を考慮して、ドラッグ速度に応じて先読みすべきチャンネルを予測するとともに先読みのタイミングを制御する。そのため、ユーザが所望するチャンネルをより正確に予測することができ、予測したチャンネルの映像を、チャンネル表示の切り替え完了時に間に合うように取得しておくことができる。
【０１０７】
≪実施形態３≫
本発明の情報表示装置に関する他の実施形態について、図１０〜図１１に基づいて説明すれば、以下のとおりである。
【０１０８】
実施形態２では、ドラッグ操作（フリック操作）における指示体の移動方向と、移動速度とに応じて、項目表示位置の移動方向と、移動（回転）速度とが決定される構成であった。しかし、本発明のデジタルテレビ１は、ドラッグ操作が開始されてから、指示体の移動が停止しても（移動速度が０になっても）、指示体と第１操作部１３との接触が継続しているかぎり、漸次切替ＵＩの回転（項目表示位置の移動）の処理を継続する構成である。
【０１０９】
上述の各実施形態では、ユーザは、所望のチャンネル番号に表示が切り替わるまで、何度もドラッグ操作（またはフリック操作）を繰り返さなければならない。さらに、上下方向のドラッグ操作が必要であるのに、第１操作部１３のタッチ面の縦幅が狭い場合には、一層ドラッグ操作の回数が増え、ユーザにとってチャンネルの切り替えが煩わしい操作となる。選択肢（チャンネル）が膨大な量になる場合には、それだけ、項目表示位置の移動距離が長くなるため、煩わしさはより一層深刻なものとなる。
【０１１０】
一方、本実施形態では、ユーザは、ドラッグ操作の開始位置と、接触を継続したままの最新の接触位置とによって、項目表示位置の移動方向と移動速度とを指定することができる。つまり、第１操作部１３の狭い領域上でも、指示体の接触を継続させるだけで、項目表示位置の移動（回転）を継続させることができ、上記煩わしさが解消される。
【０１１１】
より具体的には、図１０に示すとおり、最左上端を原点（０、０）、横軸をＸ、縦軸をＹとする座標を有する第１操作部１３に対して、ユーザは、ドラッグ操作を任意のＰ０の位置から開始したとする。操作受付部３０は、ドラッグ開始位置Ｐ０の少なくともＹ座標を取得する。ユーザは、指の接触を継続させて、六角柱を回転させたい方向に指をドラッグさせる。その結果、例えば、最新の指の接触位置がＰ１であるとする。操作受付部３０は、現在の接触位置Ｐ１の少なくともＹ座標を取得する。そして、操作受付部３０は、ドラッグ開始位置Ｐ０から現在接触位置Ｐ１までのＹ座標におけるベクトルＶ１の方向を、ドラッグ方向として得る。表示情報切替制御部３４は、得られたベクトルＶ１の方向にしたがって、チャンネル番号を降順に漸次切り替える移動方向Ｍ１に六角柱を回転させる。さらに、操作受付部３０は、ベクトルＶ１の大きさに比例して、回転速度を決定する。これにしたがって、表示情報切替制御部３４は、ベクトルＶ１の大きさが大きいほど（Ｐ０とＰ１とのＹ座標値の差分が大きいほど）、項目表示位置の移動速度（回転速度）を早くする。これにより、短時間で、より多くのチャンネルを切り替えることができる。
【０１１２】
現在の接触位置がＰ２の場合は、操作受付部３０は、ベクトルＶ２を得る。表示情報切替制御部３４は、移動方向Ｍ２に、ベクトルＶ２の大きさに応じた移動速度で、項目表示位置を移動させる。図１０に示す例では、Ｙ座標値の差分が小さいＰ２のドラッグ操作では、六角柱の回転速度は、Ｐ１の場合と比較して遅くなる。
【０１１３】
〔チャンネル切替処理について〕
図１１は、実施形態３のデジタルテレビ１が実行するチャンネル切替処理の流れを示すフローチャートである。
【０１１４】
Ｓ３０１〜Ｓ３０３は、実施形態２のＳ２０１〜Ｓ２０３と同様である。Ｓ３０３において操作受付部３０は、ドラッグ操作を認識すると、まず、Ｓ３０１にて入力されたドラッグ開始位置を取得する（Ｓ３０４）。続いて、操作受付部３０は、接触が継続されている状態での指示体（指）の最新の接触位置（以下、現在接触位置）を取得する。そして、操作受付部３０は、上記ドラッグ開始位置と、上記現在接触位置とに基づいて、ドラッグ方向および移動速度を決定する（Ｓ３０５）。例えば、操作受付部３０は、ドラッグ開始位置から現在接触位置までのベクトルを得て、該ベクトルの方向によりドラッグ方向を、ベクトルの大きさにより移動（回転）速度を決定することができる。
【０１１５】
続いて、項目表示位置決定部３１は、特定されたドラッグ方向に基づいて項目表示位置を取得する（Ｓ３０６）。ドラッグ方向が下（例えば、ベクトルＶ２）である場合、チャンネル番号は昇順にフォーカスされるので、実施形態１および２と同様に、基準線をフォーカス範囲（太枠内）の上端にとり、ドラッグ開始時点の項目表示位置を特定する。
【０１１６】
続いて、表示情報切替制御部３４は、六角柱を、決定されたドラッグ方向に、決定された移動速度で回転させる（Ｓ３０７）。Ｙ座標値の差分が小さく移動速度が比較的低速であって、ドラッグ方向がベクトルＶ２である場合、表示情報切替制御部３４は、その低速度に合わせて、項目表示位置をチャンネル番号の数字が大きい側へ漸次と移動させる。現在接触位置が変更されずドラッグが継続されているうちは（Ｓ３０９においてＮＯ、Ｓ３１０においてＮＯ、Ｓ３１１においてＮＯ）、項目表示位置が、チャンネル番号の大きい方へ移動するように、六角柱の回転が継続される。この間、項目表示位置決定部３１は、そのときの項目表示位置が、上記ドラッグ方向において、次のチャンネルに、上記移動（回転）速度に応じた閾値分以上に到達したか否かを判断している（Ｓ３０８）。
【０１１７】
項目表示位置が、切替前注目チャンネルを超えて、次のチャンネルにさしかかり、なおかつ、所定目盛以上に到達したとする。例えば、２ｃｈから、２．８ｃｈに到達したとする。なお、閾値は、Ｓ３０５にて決定される移動速度に応じて、選局が間に合うようにあらかじめ適宜決定されているものとする。項目表示位置が閾値の目盛に到達したと、項目表示位置決定部３１が判断した場合（Ｓ３０８においてＹＥＳ）、情報取得部３２は、例えば、第２チューナ部１８を制御して、上記次のチャンネルの選局を開始する（Ｓ３０９）。これにより、将来フォーカスされるチャンネルの映像を予め取得しておくことが可能になる。
【０１１８】
なお、最初のドラッグ操作から接触は継続されているものの、現在接触位置が変更された場合には（Ｓ３１０においてＮＯ、Ｓ３１１においてＹＥＳ）、デジタルテレビ１は、Ｓ３０５に戻り、変更された現在接触位置に基づいてベクトルを定義しなおし、ドラッグ方向および移動速度の少なくとも１つを決定しなおす。そして、以降の処理を繰り返す。
【０１１９】
指示体の接触状態が終わり、ユーザのドラッグ操作が終了した場合（Ｓ３１０においてＹＥＳ）、項目表示位置決定部３１は、ドラッグ終了時点の項目表示位置を特定する。一方、項目表示位置補正部３６は、ドラッグ終了時点にて最後に決定された移動速度を操作受付部３０から取得する（Ｓ３１２）。項目表示位置補正部３６は、ドラッグ終了時点の上記項目表示位置を、上記移動速度に基づいて補正する（Ｓ３１３）。移動速度が速いほど、加算する慣性移動距離の絶対値は大きくなる。
【０１２０】
切替項目決定部３５は、補正後（慣性回転後）の項目表示位置が実在するチャンネル番号に一致しない場合には、四捨五入するなどして、補正された項目表示位置に基づいて、切替後注目チャンネルを決定する（Ｓ３１４）。
【０１２１】
Ｓ３１５〜Ｓ３１８は、実施形態２のＳ２１４〜２１７と同様である。
【０１２２】
ここで、本発明のデジタルテレビ１において、映像切替制御部３３が第２表示部１４において、切替前注目チャンネルの映像を、切替後注目チャンネルの映像に切り替えるタイミング（Ｓ３１６）は、表示情報切替制御部３４が慣性回転または上記の微調整のための回転を終わらせて、チャンネル表示の漸次切り替えを完了する時点（Ｓ３１８）以前となる。より好ましくは、表示情報切替制御部３４がチャンネル表示の漸次切り替えを完了させる時点と、映像切替制御部３３が映像を切り替える時点とは同時である。
【０１２３】
≪実施形態４≫
図１２の（ａ）は、デジタルテレビ１における各表示部の領域について、他の割り当て例を示す図である。図１２の（ｂ）は、第１表示部１２に表示される漸次切替ＵＩの他の具体例を示す図である。
【０１２４】
図１２の（ａ）に示すとおり、デジタルテレビ１は、アスペクト比２１：９の液晶表示パネルを有していてもよい。この場合、液晶表示パネルは、アスペクト比１６：９となる第２表示領域（網点の領域）と、その右または左側に、アスペクト比５：９となる第１表示領域（斜線の領域）とを有する。表示情報切替制御部３４は、アスペクト比５：９の第１表示領域を実現する第１表示部１２に漸次切替ＵＩを表示する。
【０１２５】
漸次切替ＵＩは、六角柱のように立体的に各項目を表示するものに限られない。図１２の（ｂ）に示すとおり、表示情報切替制御部３４は、各項目を平面に並べた項目リストとしての漸次切替ＵＩ５０を平面的にスクロールさせる構成であってもよい。図１２の（ｂ）において、太枠は、第１表示部１２に表示される範囲を示しており、二重枠は、カーソルを示す。この場合、表示情報切替制御部３４は、二重枠の表示位置を固定して、項目リストをスクロールさせることにより、項目表示位置を移動させて、チャンネル表示を漸次切り替える。
【０１２６】
≪実施形態５≫
本発明の漸次切替ＵＩにおいて切り替えられる項目は、チャンネル番号に限られない。本発明の一側面に係る漸次切替ＵＩは、項目の切り替えに時間がかかるものに関し、好適に採用することができる。本発明の一側面に係る漸次切替ＵＩは、例えば、項目の切り替えに、ハードウェアの切り替えや、ネットワーク通信等が伴うものについて好ましく採用することができる。
【０１２７】
より具体的には、デジタルテレビ１の入力切替「地デジ」／「ＢＤ」／「ＨＤＤ」を切り替えるためのＵＩを、本発明の漸次切替ＵＩで実現してもよい。この場合、入力を切り替えるための時間、例えば、ＨＤＤの立ち上げにかかる時間についてユーザが抱く遅延の印象を解消することができる。また、放送映像と同期して表示される情報、例えば、「データ放送」／「天気情報」／「広告情報」を切り替えるためのＵＩを、本発明の漸次切替ＵＩで実現してもよい。この場合、天気情報の読み込みにかかる時間にユーザが抱く遅延の印象を解消することができる。
【０１２８】
あるいは、漸次切替ＵＩを以下のように実現してもよい。
【０１２９】
図１３の（ａ）は、デジタルテレビ１における各表示部の領域について、他の割り当て例を示す図である。図１３の（ｂ）は、漸次切替ＵＩによって切り替えられる、第２表示部１４に表示される情報の他の具体例を示す図である。
【０１３０】
図１３の（ａ）に示すとおり、デジタルテレビ１は、１つの表示部の１つの表示領域において、ソフトウェア的に、第１表示領域１２’（斜線の領域）と、第２表示領域１４’（網点の領域）とを割り当ててもよい。この場合、ＯＳＤ処理回路２２は、切替回路２１から供給された映像信号の所定の領域（第１表示領域１２’）に、表示情報切替制御部３４によって生成されたＯＳＤ画像としての漸次切替ＵＩ５１を重畳させて、重畳後の映像信号を上記１つの表示部に出力する。
【０１３１】
この場合、本体とは別に設けられたリモコンとしての第２操作部１５を用いて、漸次切替ＵＩ５１の切り替えが指示されてもよい。第２操作部１５の上下または＋−キーなどが押下されることによって、項目の切り替え指示が離散的に入力される構成であってもよい。
【０１３２】
例えば、図１３の（ｂ）に示すとおり、第１表示領域１２’には、漸次切替ＵＩ５１が表示され、第２表示領域１４’には、天気予報図が表示される。漸次切替ＵＩ５１においては、「降水確率」、「気温」、「風向」等の項目が選択可能な状態で、第２表示領域１４’に重ねて表示される。ユーザ指示にしたがって表示情報切替制御部３４が上記項目を漸次切り替える一方で、映像切替制御部３３は、選択された項目に対応する情報が表示された天気予報図に切り替えて第２表示領域１４’表示させる。図１３の（ｂ）に示す例は、「降水確率」の項目が選択された場合に、第２表示領域１４’が降水確率に係る天気予報図に切り替わった様子を示している。このとき、漸次切替ＵＩ５１の項目の切り替えが完了するタイミングと、天気予報図が切り替わるタイミングとは、同時であることが好ましい。
【０１３３】
〔まとめ〕
本発明の態様１に係る情報表示装置は、上記課題を解決するために、所定の順序で並べられた複数の項目（チャンネル）のうち、フォーカスされている注目項目（注目チャンネル）を少なくとも１つ表示する第１表示領域（第１表示部１２）と、上記注目項目に対応付けられている情報を表示する第２表示領域（第２表示部１４）とを含む表示部（第１表示部１２および第２表示部１４）を備えている情報表示装置（デジタルテレビ１）であって、入力部（第１操作部１３）を介して入力された注目項目を切り替えることを指示する項目切替指示にしたがって、現在の注目項目である切替前注目項目（切替前注目チャンネル）の次に注目項目となる切替後注目項目（切替後注目チャンネル）を決定する項目決定手段（切替項目決定部３５）と、上記項目切替指示にしたがって、上記第１表示領域に表示される注目項目を、切替前注目項目から切替後注目項目へと視覚的状態を連続的に変化させて切り替える第１切替制御手段（表示情報切替制御部３４）と、上記第２表示領域に表示されている切替前注目項目に対応する情報（映像）を、切替後注目項目に対応する情報へと切り替える第２切替制御手段（映像切替制御部３３）とを備え、上記第１切替制御手段は、上記第２切替制御手段による情報の切り替えに応じて、上記切替後注目項目への切り替えを完了することを特徴とする。
【０１３４】
上記の構成によれば、ユーザ操作によって、第１表示領域に表示されている注目項目の切り替えが指示されると、第１切替制御手段は、上記ユーザの指示にしたがって、表示されている注目項目を切り替える。第１切替制御手段が行う切り替えは、切替前注目項目から切替後注目項目へと視覚的状態を連続的に変化させることにより、漸次実施される。その一方、第２切替制御手段は、上記ユーザの指示にしたがって注目項目が切り替えられることに応じて、上記第２表示領域に表示されている切替前注目項目に対応する情報を、切替後注目項目に対応する情報へと切り替える。
【０１３５】
ここで、上記第１切替制御手段は、上記第２切替制御手段が情報を切り替えた時点または該時点よりも後に、上記切替後注目項目への、漸次実施していた切り替えを完了してもよい。言い換えれば、上記第１切替制御手段は、上記第２切替制御手段が情報を切り替えた時点以降に、上記切替後注目項目への、漸次実施していた切り替えを完了してもよい。
【０１３６】
これにより、ユーザが項目の切り替えを指示してから、第１表示領域に表示されている注目項目が切り替わるよりも前に、あるいは、切り替わるのと同時に、第２表示領域に表示されている情報を切り替えることができる。
【０１３７】
つまり、ユーザが、第１表示領域に表示された漸次切り替えられている複数の項目を見て、項目の切り替えが完了したと認識したときか、または、それよりも早く、第２表示領域における情報の切り替えを完了させることができる。
【０１３８】
また、上記第１切替制御手段は、上記第２切替制御手段が情報を切り替えた時点または該時点よりも所定時間前に、上記切替後注目項目への、漸次実施していた切り替えを完了してもよい。
【０１３９】
これにより、ユーザが項目の切り替えを指示してから、第１表示領域に表示されている注目項目が切り替わった後、すぐに、第２表示領域に表示されている情報を切り替えることができる。
【０１４０】
以上により、ユーザが項目が切り替わったと認識してから、対応する情報が実際に切り替わるまでの間に従来生じていたタイムラグをなくす、または、短縮することができ、ユーザが抱く遅延の印象を解消または軽減することができるという効果を奏する。
【０１４１】
本発明の態様２に係る情報表示装置では、上記態様１において、上記第１切替制御手段は、上記項目切替指示が入力された場合に、視覚的状態の連続的変化を開始し、上記第２切替制御手段が上記切替後注目項目に対応する情報に切り替えた時に、上記連続的変化を終了して上記切替後注目項目への切り替えを完了することが好ましい。
【０１４２】
これにより、ユーザが項目切替指示を入力した時すぐに、第１表示領域において、注目項目の変化が視覚的に開始される。そのため、ユーザは、自身が操作を起こした時点と、それによって何らかの処理が開始される時点との間にタイムラグを感じることが無いため、処理が遅れているという印象を持たずに済む。なお、「項目切替指示が入力された場合」とは、項目切替指示が入力された時の直後を含み、視覚的状態の連続的変化の開始までに多少の遅延も許容される。
【０１４３】
さらに、第２表示領域においては、ユーザが項目が切り替わったと認識したのと同時に、該項目に対応する情報に切り替わるため、第２表示領域において情報の切り替えが遅延しているという印象を持たずに済む。このように項目切り替えの視覚的情報に基づいて、情報が切り替わるまでの待機時間をユーザは直感的に理解するので、操作上の違和感をなくし、ユーザを苛立たせる要因を排除することが可能となる。
【０１４４】
本発明の様態３に係る情報表示装置では、上記様態１または２において、上記項目切替指示は、切り替えの方向と量とを指示するものであり、上記第１切替制御手段は、指定された方向および量にしたがって、注目項目を含む所定の順序で並べられた複数の項目、または、注目項目を指すカーソルを移動させることにより、フォーカスされている注目項目を連続的に切り替えてもよい。
【０１４５】
ユーザが指定した切り替えの方向および量にしたがって、注目項目が漸次切り替えられるので、操作上の違和感がなくなり、情報が切り替わるまでの待機時間をユーザはより自然に直感的に理解することができる。
【０１４６】
本発明の様態４に係る情報表示装置は、上記様態３において、第１チューナ部を制御して、上記切替前注目項目に対応付けられている放送波を選局して、該切替前注目項目に対応する映像を受信する第１情報取得手段と、第２チューナ部を制御して、上記切替後注目項目に対応付けられている放送波を選局して、該切替後注目項目に対応する映像を受信する第２情報取得手段とを含み、上記第２情報取得手段は、上記切替後注目項目が決定されたときに選局を開始し、上記第１切替制御手段は、上記第２情報取得手段が上記切替後注目項目の映像を受信した後、注目項目の切り替えを完了することが好ましい。
【０１４７】
上記構成によれば、現在フォーカスされている切替前注目項目（チャンネル）の映像は、第１情報取得手段が選局を行うことにより受信されて、上記第２表示領域に表示されている。その一方で、上記項目決定手段によって上記切替後注目項目が決定されたときに、上記第２情報取得手段が、すぐに選局を開始する。これにより、上記第１切替制御手段は、上記切替後注目項目の映像を受信した後、注目項目の切り替えを完了する。言い換えれば、上記第１切替制御手段が注目項目の切り替えを完了する前に、該上記切替後注目項目の映像を受信しておくことができる。よって、上記第２切替制御手段は、上記第１切替制御手段が注目項目の切り替えを完了する前に、あるいは、完了するのと同時に、上記第２表示領域に表示される映像を、切替前注目項目のものから切替後注目項目のものに切り替えることができる。
【０１４８】
本発明の様態５に係る情報表示装置は、上記様態４において、上記第１表示領域において切替前注目項目から切替後注目項目へと切り替わる間に上記第１切替制御手段によって実行されている連続的変化の途中の視覚的状態（項目表示位置）を特定する変化状態特定手段（項目表示位置決定部３１）を備え、上記第２情報取得手段は、上記切替後注目項目が決定されるまでの間、上記変化状態特定手段によって切替前注目項目から次の項目への状態変化の開始が特定された後、当該次の項目への切り替えが完了するまでの間に、該次の項目に対応する放送波の選局を開始することが好ましい。
【０１４９】
上記構成によれば、上記第１表示領域において、視覚的に、フォーカスされている注目項目が、次の項目に移行しようとする状態にさしかかった場合、次の項目へと項目表示位置が移動して、次の項目への切り替えが完了するまでの間に、上記第２情報取得手段は、当該次の項目の選局をあらかじめ開始することができる。これにより、当該次の項目が、切替後注目項目に決定された場合に、上記第２切替制御手段は、上記第１切替制御手段が注目項目の切り替えを完了するまでの任意のタイミングで、上記第２表示領域に表示される映像を、切替前注目項目のものから切替後注目項目のものに切り替えることができる。
【０１５０】
本発明の様態６に係る情報表示装置では、上記様態５において、上記項目切替指示は、さらに切り替えの速度を指示するものであり、上記第１切替制御手段は、指定された速度に応じて、項目またはカーソルを移動させるものであり、上記第２情報取得手段は、上記項目切替指示の入力が終了した時点の上記速度が速いほど、上記次の項目に対応する放送波の選局を早く開始することが好ましい。
【０１５１】
上記構成によれば、上記第２情報取得手段は、視覚的状態（項目表示位置）が、切替前注目項目から次の項目への状態遷移を開始した後、当該次の項目への切り替えが完了するまでの間のうち、上記切り替えの速度が速いほど、より早いタイミングで、放送波の選局を開始する。これにより、速度が速いことに応じて、項目から項目への状態の移行が速く行われたとしても、より早いタイミングで選局が開始される。そのため、上記第２切替制御手段は、より早く次の項目の映像を得ることができるので、遅延なく、映像の切り替えを行うことができる。
【０１５２】
本発明の様態７に係る情報表示装置では、上記様態４から６までのいずれかの様態において、上記項目切替指示は、さらに切り替えの速度を指示するものであり、上記第１切替制御手段は、指定された速度に応じて、項目またはカーソルを移動させるものであり、上記項目決定手段は、上記項目切替指示の入力が終了した時点の上記速度が速いほど、切替前注目項目から遠くに並ぶ項目を切替後注目項目として決定することが好ましい。
【０１５３】
上記構成によれば、ユーザ操作の速度を考慮して、上記第２情報取得手段が先読みすべき項目を予測する。そのため、ユーザが所望する項目をより正確に予測することができ、予測した項目の映像を、項目の切り替え完了時に間に合うように取得しておくことができる。
【０１５４】
本発明の様態８に係る情報表示装置では、上記様態６または７において、上記第１切替制御手段は、上記項目切替指示にしたがって項目またはカーソルを移動させた後に、上記項目切替指示の入力が終了した時点の上記移動速度に応じて、慣性による移動を継続させるものであり、上記項目決定手段（項目表示位置補正部３６および切替項目決定部３５）は、上記項目切替指示の入力が終了したとき、上記慣性による移動の後にフォーカスされる項目を上記移動速度に応じて算出することにより、切替後注目項目を決定してもよい。
【０１５５】
上記構成によれば、ユーザ操作が終わった後に継続される項目またはカーソルの移動距離を、上記移動速度に応じて求めることにより、切替後注目項目を事前により正しく決定することができる。これにより、正しく決定した項目の映像を、項目の切り替え完了時に間に合うように取得しておくことができる。
【０１５６】
本発明の様態９に係る情報表示装置の制御方法は、上記課題を解決するために、所定の順序で並べられた複数の項目のうち、フォーカスされている注目項目を少なくとも１つ表示する第１表示領域と、上記注目項目に対応付けられている情報を表示する第２表示領域とを含む表示部を備えている情報表示装置の制御方法であって、上記情報表示装置の入力部を介して入力された注目項目を切り替えることを指示する項目切替指示にしたがって、現在の注目項目である切替前注目項目の次に注目項目となる切替後注目項目を決定する項目決定ステップと、上記項目切替指示にしたがって、上記第１表示領域に表示される注目項目を、切替前注目項目から切替後注目項目へと視覚的状態を連続的に変化させて切り替える第１切替ステップと、上記第１切替ステップが実行される一方で、上記第２表示領域に表示されている切替前注目項目に対応する情報を、切替後注目項目に対応する情報へと切り替える第２切替ステップとを含み、上記第１切替ステップは、上記第２切替ステップにおける情報の切り替えに応じて、上記切替後注目項目への切り替えを完了することを特徴とする。
【０１５７】
なお、上記情報表示装置は、コンピュータによって実現してもよく、この場合には、コンピュータを上記各部として動作させることにより上記情報表示装置をコンピュータにて実現させる情報表示装置の制御プログラム、およびそれを記録したコンピュータ読み取り可能な記録媒体も、本発明の範疇に入る。
【０１５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１５９】
≪ソフトウェアによる実現例≫
デジタルテレビ１の制御ブロック（特に、操作受付部３０、項目表示位置決定部３１、情報取得部３２、映像切替制御部３３、表示情報切替制御部３４、切替項目決定部３５および項目表示位置補正部３６）は、集積回路（ＩＣチップ）等に形成された論理回路（ハードウェア）によって実現してもよいし、ＣＰＵ（Central Processing Unit）を用いてソフトウェアによって実現してもよい。
【０１６０】
後者の場合、デジタルテレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【産業上の利用可能性】
【０１６１】
所定の順序で並べられた複数の項目のうち、フォーカスされている注目項目を少なくとも１つ表示する第１表示領域と、上記注目項目に対応付けられている情報を表示する第２表示領域とを含む表示部を備えているあらゆる情報表示装置に適用できる。より好ましくは、第２表示領域に表示する映像を、上記項目に対応する特定の放送波を選局することにより受信する放送受信装置に利用することができる。
【符号の説明】
【０１６２】
１  デジタルテレビ（情報表示装置）
１０  制御部
１１  記憶部
１２  第１表示部（表示部）
１２’  第１表示領域
１３  第１操作部（入力部）
１４  第２表示部（表示部）
１４’  第２表示領域
１５  第２操作部（入力部）
１６  音声出力部
１７  第１チューナ部
１８  第２チューナ部
１９  デコーダ
２０  デコーダ
２１  切替回路
２２  ＯＳＤ処理回路
２３  表示制御部
３０  操作受付部
３１  項目表示位置決定部（変化状態特定手段）
３２  情報取得部（第１情報取得手段／第２情報取得手段）
３３  映像切替制御部（第２切替制御手段）
３４  表示情報切替制御部（第１切替制御手段）
３５  切替項目決定部（項目決定手段）
３６  項目表示位置補正部（項目決定手段）
４０  番組情報テーブル
【図１】
2014203401.tif 000003
【図２】
2014203401.tif 000004
【図３】
2014203401.tif 000005
【図４】
2014203401.tif 000006
【図５】
2014203401.tif 000007
【図６】
2014203401.tif 000008
【図７】
2014203401.tif 000009
【図８】
2014203401.tif 000010
【図９】
2014203401.tif 000011
【図１０】
2014203401.tif 000012
【図１１】
2014203401.tif 000013
【図１２】
2014203401.tif 000014
【図１３】
2014203401.tif 000015